(57)【要約】【課題】パネルをパネルホルダや支持構造体に簡単に固定することができ、必要に応じて簡単に取り外しができるクランプ装置を提供する。【解決手段】クランプ装置５は、第１クランプ部２１と第２クランプ部２２を備え、第１クランプ部２１を第２クランプ部２２に対してパネル面に略直角な回転軸を中心にクランプ方向に相対的に回転させることによって、クランプ装置５の幅が増加してクランプ力が発生するように構成される。【選択図】図３
0003235459.tif 000002
【実用新案登録請求の範囲】
【請求項１】
パネルをパネルホルダ又は支持構造体に固定するためのクランプ装置であって、
第１クランプ部と第２クランプ部を備え、
前記第１クランプ部を前記第２クランプ部に対してパネル面に略直角な回転軸を中心にクランプ方向に相対的に回転させることによって、前記クランプ装置の幅が増加してクランプ力が発生するように構成され、
前記第１クランプ部及び／又は前記第２クランプ部は、他方のクランプ部に対向する少なくとも１つの楔面を有し、
前記第１クランプ部が前記第２クランプ部に対して相対的に回転するとき、前記他方のクランプ部が前記楔面を摺動するクランプ装置。
【請求項２】
前記第１クランプ部には、ツールが差し込まれる差込み口が形成されており、
前記差込み口に前記ツールを差し込んだとき、前記ツールによって前記第１クランプ部を回転させることができることを特徴とする請求項１に記載のクランプ装置。
【請求項３】
前記第２クランプ部には、前記第１クランプ部がアンクランプ方向に逆回転するのを防止する多段のロックキャッチが設けられ、
前記第１クランプ部には、前記ロックキャッチに係合する弾性爪が設けられ、
前記差込み口に前記ツールを差し込んだとき、前記弾性爪と前記ロックキャッチとの係合が解除されることを特徴とする請求項２に記載のクランプ装置。
【請求項４】
前記パネルホルダ又は前記支持構造体に挿入される支持部と、
前記支持部に対して長手方向に摺動可能な摺動部と、を備えるパネル傾き調整システムであって、
前記支持部又は前記摺動部は、請求項１ないし３のいずれか一項に記載のクランプ装置を有し、
前記支持部又は前記摺動部の一方は、前記パネルホルダ又は前記支持構造体に対向する外側接触面を有し、
前記支持部又は前記摺動部の他方は、前記パネルの傾きを決定する内側接触面を有し、
前記支持部に対して前記摺動部を長手方向に変位させることによって、前記内側接触面の傾きを調整可能であるパネル傾き調整システム。
【請求項５】
前記支持部及び前記摺動部は、互いに対向するガイド面を有し、
これらのガイド面は、前記摺動部が前記支持部に対して変位したとき、前記内側接触面が前記外側接触面に対して傾くように形成されることを特徴とする請求項４に記載のパネル傾き調整システム。
【請求項６】
前記支持部及び／又は前記摺動部は、複数の部品から構成されると共に、前記複数の部品を組み立てたとき、少なくとも部分的に断面略Ｕ字形を形成することを特徴とする請求項４又は５に記載のパネル傾き調整システム。
【請求項７】
前記クランプ装置は、前記パネルに対向するクランプ面を備え、
前記クランプ面は、前記内側接触面の傾きが変化すると前記クランプ面の傾きが変化するように、前記内側接触面と関連付けられており、
又は前記クランプ面は、前記内側接触面を形成することを特徴とする請求項４ないし６のいずれか一項に記載のパネル傾き調整システム。
【請求項８】
前記摺動部には、前記摺動部を変位させるためのツールが差し込まれる差込み口が形成されており、
前記ツールは、前記一方のクランプ部を回転させるための回転ツールとしても前記摺動部を変位させるための変位ツールとしても使用可能であることを特徴とする請求項４ないし７のいずれか一項に記載のパネル傾き調整システム。
【考案の詳細な説明】
【技術分野】
【０００１】
本考案は、例えばガラス製のパネルをパネルホルダ又は支持構造体に取り付けるためのクランプ装置及びこのクランプ装置を用いたパネル傾き調整システムに関する。
【背景技術】
【０００２】
最近の手すりには、ガラス製のパネルを使用するものが増えている。ガラス製のパネルは、その下端をパネルホルダに挿入することで自立する。人がパネルに寄りかかった場合、パネルホルダに作用する力は梃子の比で大きくなるし、パネル自体にもかなりの重量があるので、パネルはパネルホルダにしっかりと固定されなければならない。
【０００３】
従来のパネル支持構造として、パネル表面とパネルホルダの支持面とのギャップに楔を打ち込んで、パネルをパネルホルダにしっかり固定するパネル支持構造が知られている（特許文献１参照）。
【先行技術文献】
【特許文献】
【０００４】
【特許文献１】特開２００６−１６８５５号公報
【考案の概要】
【考案が解決しようとする課題】
【０００５】
しかし、従来のパネル支持構造においては、多数の部品を必要とするので、構造が複雑になり、パネルをパネルホルダに固定するのに手間がかかるという課題がある。
【０００６】
本考案は、上記課題に鑑みてなされたものであり、パネルをパネルホルダや支持構造体に簡単に固定することができ、必要に応じて簡単に取り外しができるクランプ装置及びこのクランプ装置を用いたパネル傾き調整システムを提供することを目的とする。
【課題を解決するための手段】
【０００７】
上記課題を解決するために、本考案は、パネルをパネルホルダ又は支持構造体に固定するためのクランプ装置であって、第１クランプ部と第２クランプ部を備え、前記第１クランプ部を前記第２クランプ部に対してパネル面に略直角な回転軸を中心にクランプ方向に相対的に回転させることによって、前記クランプ装置の幅が増加してクランプ力が発生するように構成され、前記第１クランプ部及び／又は前記第２クランプ部は、他方のクランプ部に対向する少なくとも１つの楔面を有し、前記第１クランプ部が前記第２クランプ部に対して相対的に回転するとき、前記他方のクランプ部が前記楔面を摺動するクランプ装置である。
【０００８】
本考案のパネル傾き調整システムは、前記パネルホルダ又は前記支持構造体に挿入される支持部と、前記支持部に対して長手方向に摺動可能な摺動部と、を備えるパネル傾き調整システムであって、前記支持部又は前記摺動部は、上記のクランプ装置を有し、前記支持部又は前記摺動部の一方は、前記パネルホルダ又は前記支持構造体に対向する外側接触面を有し、前記支持部又は前記摺動部の他方は、前記パネルの傾きを決定する内側接触面を有し、前記支持部に対して前記摺動部を長手方向に変位させることによって、前記内側接触面の傾きを調整可能であるパネル傾き調整システムである。
【考案の効果】
【０００９】
本考案のクランプ装置によれば、一方のクランプ部を他方のクランプ部に対して相対的に回転させることによって、クランプ装置の幅が増加してクランプ力が増強する。したがって、パネルをパネルホルダや支持構造体に簡単に固定することができる。
【００１０】
本考案のパネル傾き調整システムによれば、支持部に対して摺動部を長手方向に摺動させることによって、パネルの傾きを調整することができる。
【図面の簡単な説明】
【００１１】
【図１】クランプ装置とパネル傾き調整システムを備えた手すりシステムの分解斜視図である。
【図２】パネル傾き調整システムの斜視図である。
【図３】ツールを差し込んだクランプ装置を示す図である（図３（ａ）（ｂ）はアンクランプ状態を示し、図３（ｃ）（ｄ）はクランプ状態を示す）。
【図４】クランプ装置の分解斜視図である。
【図５】クランプ装置の代替実施形態を示す図である。
【図６】支持部と摺動部を示す図である。
【図７】支持部に対して摺動部が変位したときのパネルの傾きを示す図である。
【図８】支持部に対して摺動部が変位したときのパネルの傾きを示す図である。
【図９】パネル傾き調整システムの代替実施形態を示す図である。
【考案を実施するための形態】
【００１２】
以下、添付図面に基づいて、本考案の実施形態のクランプ装置及びパネル傾き調整システムを詳細に説明する。ただし、本考案のクランプ装置及びパネル傾き調整システムは種々の形態で具体化することができ、本明細書に記載される実施形態に限定されるものではない。本実施形態は、明細書の開示を十分にすることによって、当業者が考案を十分に理解できるようにする意図をもって提供されるものである。
（クランプ装置）
【００１３】
図１は、手すりシステムの分解斜視図を示す。手すりシステムは、ガラス製のパネル１と、床に固定されるパネルホルダ２と、を備える。パネルホルダ２は、断面略Ｕ字形で押し出し成型することによって製造される。
【００１４】
パネル１をパネルホルダ２に固定するために、クランプ装置５が提供される。パネル１を固定する際には、クランプ装置５を支持部本体７に装着した状態で又はそうでない状態で、パネルホルダ２に支持部本体７と摺動部８を挿入する。そして、パネル１を摺動部８に挿入する。クランプ装置５を装着していない場合には、支持部本体７にクランプ装置５を装着する。続いて、クランプ力を発生させるために、後述する方法でクランプ装置５の幅を増加させて、パネル１をパネルホルダ２にクランプ方式で固定する。
【００１５】
図２は、支持部６と摺動部８を示す。支持部６は、支持部本体７と、クランプ装置５と、を備える。図２に示す支持部６と摺動部８は、パネル１の傾きを調整するために提供される。支持部６に対して摺動部８を長手方向に変位させることによって、パネル１に接触する摺動部８の内側接触面８ａ２、及びパネル１にクランプ装置５を介して接触する摺動部８の内側接触面８ｂ２の傾きが調整可能である。パネル傾き調整システムについは後述する。
【００１６】
支持部本体７は、クランプ装置５の回転を防止する役割も持つ。支持部本体７は、凹部１２を有する。クランプ装置５は、凹部１２に嵌まる延長部１３を有する。支持部本体７は、クランプ装置５を回転しないように受け入れる。
【００１７】
図１と図２には、支持部本体７と摺動部８それぞれが１部品であるように示されているが、実際に支持部本体７と摺動部８それぞれは、２部品から構成されている。支持部本体７と摺動部８それぞれの一方の側壁部７ａ，８ａは、他方の側壁部７ｂ，８ｂに対して傾き可能であり、かつパネル面と直角な方向に移動可能である。
【００１８】
なお、図１及び図２には、パネル１がパネルホルダ２に垂直に挿入される手すりシステムが示されているが、このクランプ装置５は、柱、床などのパネルの一部を収容する凹部を有する支持構造体にパネル１を固定する場合にも適用できる。
【００１９】
図３は、クランプ装置５を示す。図３（ａ）に示すように、クランプ装置５は、第１クランプ部２１と第２クランプ部２２を備える。第１クランプ部２１には、半径方向に延びる差込み口２３が形成される。差込み口２３には、第１クランプ部２１をクランプ方向及びアンクランプ方向に回転させるためのツール４が差し込まれる。差込み口２３は、クランプ装置５がパネルホルダ２内に配置された状態でも容易にアクセスできる位置に配置される。
【００２０】
ツール４は、第１クランプ部２１に係合する係合部４ａと、係合部４ａからオフセットされた把持部４ｂと、を備える。把持部４ｂをパネル表面から遠ざけることで、建築現場での組立て中に、パネル１をツール４で叩いて損傷させるリスクを低減できる。
【００２１】
図４（ａ）（ｂ）は、クランプ装置５の分解斜視図を示す。第１クランプ部２１と第２クランプ部２２それぞれは、互いに対向する面に２つの楔面２１ａ，２２ａを有する。第１クランプ部２１の２つの楔面２１ａは、螺旋状に形成されていて、同じピッチを有する。第２クランプ部２２の２つの楔面２２ａも、螺旋状に形成されていて、同じピッチを有する。第１クランプ部２１の２つの楔面２１ａと第２クランプ部２２の２つの楔面２２ａは、互いに対向する。
【００２２】
第１クランプ部２１には、係合軸２４が形成される。第２クランプ部２２には、係合軸２４が挿入される係合開口２５が形成される。係合軸２４と係合開口２５は、バヨネット型の回転係合を形成する。係合軸２４と係合開口２５を回転係合させることで、第１クランプ部２１が第２クランプ部２２から抜けるのが防止される。係合軸２４と係合開口２５を係合させた状態では、第１クランプ部２１を係合軸２４を中心に回転させることができる。
【００２３】
第１クランプ部２１をアンクランプ方向に回転させた図３（ａ）（ｂ）と第１クランプ部２１をクランプ方向に回転させた図３（ｃ）（ｄ）とを比較すると、有効なクランプ幅が異なることがわかる。
【００２４】
図３（ａ）（ｂ）に示すように、第１クランプ部２１にツール４を差し込み、第１クランプ部２１を図３（ａ）（ｂ）に示す状態からクランプ方向に図３（ｃ）（ｄ）に示す状態まで回転させれば、回転中に第１クランプ部２１の楔面２１ａと第２クランプ部２２の楔面２２ａが互いに摺動し、クランプ幅Ｗが増加してクランプ力が発生する。その結果、パネル１をパネルホルダ２に固定することが可能になる。
【００２５】
図５（ａ）（ｂ）は、クランプ装置５の代替実施形態を示す。以下では、本実施形態が図４（ａ）（ｂ）と異なる点のみ説明する。図４（ａ）（ｂ）の記載事項は図５（ａ）（ｂ）に示される実施形態にも適用される。
【００２６】
図５（ａ）（ｂ）では、第１クランプ部２１と第２クランプ部２２との間でロック係合がなされており、これにより第１クランプ部２１がアンクランプ方向に逆回転するのが防止されている。
【００２７】
ロック係合を実現するために、第２クランプ部２２の楔面２２ａを含む領域に多段のロックキャッチ３４が設けられ、第１クランプ部２１の差込み口２３近傍に弾性爪３３が設けられる。弾性爪３３は、第１クランプ部２１と一体に形成される。弾性爪３３は、多段のロックキャッチ３４に付勢されるようにバネ性を持つ。
【００２８】
第１クランプ部２１がクランプ方向に回転すると、弾性爪３３はロックキャッチ３４上を通過し、ラチェットのようにロックキャッチ３４の段を乗り越えて、次の段に移動する。弾性爪３３とロックキャッチ３４は、アンクランプ方向に逆回転するのを防止するように形成される。
【００２９】
第１クランプ部２１の差込み口２３にツール４を差し込んだとき、弾性爪３３とロックキャッチ３４との係合が解除される。弾性爪３３には、ツール４を差し込んだときにツール４と係合する傾斜面が形成される。ツール４を差込み口２３に差し込んだとき、弾性爪３３はツール４によってロック位置から解除位置へ変位するように形成される。
【００３０】
以上に本考案のクランプ装置５の構成を説明した。本考案のクランプ装置５は上記実施形態に具現化されるのに限られることはなく、本考案の要旨を変更しない範囲で他の実施形態に具現化可能である。例えば、上記実施形態では、クランプ装置５のクランプ面５ａをパネル１に対向させているが、この配置を逆にし、クランプ装置５のクランプ面５ａをパネルホルダ２に対向させてもよい。
【００３１】
また、上記実施形態では、クランプ装置５とパネル１のパネル面とを直接接触させ、支持部本体７の側壁部７ａ，７ｂとパネルホルダ２を直接接触させているが、これらの間にゴム又は軟質プラスチック層などの中間挿入物を設けてもよい。
【００３２】
さらに、材料を節約するために、クランプ装置５の第１クランプ部２１と第２クランプ部２２にリブを設けてもよい。
【００３３】
さらに、パネル傾き調整システムが不要な場合は、支持部６と摺動部８を省略してもよい。この場合、クランプ装置５の回転を防止するために、パネルホルダ２に支持部６とは別のインサート部品を挿入すればよい。
（パネル傾き調整システム）
【００３４】
最近の手すりには、ガラス製のパネル１が使用されることが多くなっている。このような手すりは、上質な印象を与えるので、建物のデザイン的に重要視されている。手すりのパネル１は、列をなして多数配置される。手すりが首尾一貫した外観を呈するために、個々のパネル１は正確に互いに整列していなければならない。このため、個々のパネル１の傾きを調整するパネル傾き調整システムが必要になる。
【００３５】
図２に示すように、パネル傾き調整システムは、パネルホルダ２に挿入される支持部６と、支持部６に対して摺動可能な摺動部８と、を備える。支持部６には、パネル１をクランプするためのクランプ装置５が設けられる。パネル１は、その下側がクランプ装置５と摺動部８との間に把持される。
【００３６】
摺動部８を支持部６に対して長手方向に変位させることによって、摺動部８の内側接触面８ａ２，８ｂ２の傾きを調整可能である。摺動部８の内側接触面８ａ２，８ｂ２は、パネル１の傾きを決定する。一方で、パネルホルダ２に接触する支持部６の外側接触面７ａ２，７ｂ２の傾きは変化しない。
【００３７】
摺動部８には、ツール４が差し込まれる差込み口１７が形成される。ツール４は、クランプ装置５を回転させるための回転ツールとしても摺動部８を変位するための変位ツールとしても使用される。
【００３８】
図６（ａ）〜（ｃ）は支持部本体７を示す。図６（ａ）は平面図、図６（ｂ）は正面図、図６（ｃ）は背面図である。支持部本体７は、２つの部品３１，３２から構成されると共に、２つの部品３１，３２を組み立てたときに少なくとも部分的に断面略Ｕ字形を形成する。支持部本体７は、側壁部７ｂと底部７ｃが一体に形成される第１部品３１と、側壁部７ａが形成される第２部品３２と、を備える。第２部品３２の側壁部７ａは、第１部品３１の側壁部７ｂに対して傾き可能であると共に、幅方向に変位可能である。
【００３９】
図６（ｄ）〜（ｆ）は摺動部８を示す。図６（ｄ）は平面図、図６（ｅ）は正面図、図６（ｆ）は背面図である。摺動部８は、２つの部品４１，４２から構成されると共に、２つの部品４１，４２を組み立てたときに少なくとも部分的に断面略Ｕ字形を形成する。摺動部８は、側壁部８ｂと底部８ｃが一体に形成される第１部品４１と、側壁部８ａが形成される第２部品４２と、を備える。第２部品４２の側壁部８ａは、第１部品４１の側壁部８ｂに対して傾き可能であると共に、幅方向に変位可能である。
【００４０】
支持部本体７の側壁部７ａの内面と摺動部８の側壁部８ａの外面には、ガイド面７ａ１，８ａ１が形成される。同様に、支持部本体の側壁部７ｂの内面と摺動部８の側壁部８ｂの外面には、ガイド面７ｂ１，８ｂ１が形成される。これらのガイド面７ａ１，８ａ１，７ｂ１，８ｂ１は螺旋状に形成されており、支持部本体７内で摺動部８が長手方向に変位したとき、摺動部８の側壁部８ａの内側接触面８ａ２，８ｂ２の傾きが変化するように形成される。
【００４１】
図６（ｂ）に示すように、支持部本体７の正面側の端部において、右側の側壁部７ｂは、下部よりも上部が厚い。左側の側壁部７ａは、下部よりも上部が薄い。支持部本体７のガイド面７ａ１，７ｂ１は螺旋状に形成されているので、図６（ｃ）に示す支持部本体７の背面側の端部では、上記の関係が逆転する。同じことは、螺旋状に形成される摺動部８のガイド面８ａ１，８ｂ１にも当て嵌まる。
【００４２】
パネル１がパネルホルダ２に固定されたとき、摺動部８の内側接触面８ａ２は、パネル１に押し付けられ、摺動部８の内側接触面８ｂ２は、クランプ装置５を介してパネル１に押し付けられる（図７（ａ）参照）。これによりパネル１の傾きを決定する。なお、支持部本体７の外側接触面７ａ２，７ｂ２は、パネルホルダ２の内面に接触する（図７（ａ）参照）。摺動部８が支持部６内を長手方向に変位しても、支持部本体７の外側接触面７ａ２，７ｂ２の傾きは変化しない。
【００４３】
摺動部８と支持部本体７の傾き調整機能は、図７及び図８から明らかになる。図７（ａ）（ｂ）では、摺動部８が支持部本体７に対して図７（ｂ）の右側にずれた位置にある。パネル１の傾斜は、垂直面に対して−１°となっている。
【００４４】
図７（ｃ）（ｄ）に示すように、摺動部８が支持部６に対して中央位置に変位したとき、摺動部８の内側接触面８ａ２，８ｂ２は時計方向に傾き、垂直方向を向く。パネル１の傾斜は、垂直面に対して０°になる。
【００４５】
図８（ａ）（ｂ）に示すように、摺動部８が支持部６に対して図８（ｂ）の左側にずれた位置にあるとき、摺動部８の内側接触面８ａ２，８ｂ２は、ますます時計方向に傾く。パネル１の傾斜は、垂直面に対して＋１°になる。
【００４６】
なお、上記実施形態では、支持部本体７に外側接触面７ａ２，７ｂ２を形成し、摺動部８に内側接触面８ａ２，８ｂ２を形成しているが、図９に示すように、支持部５６のクランプ装置５５と摺動部５８に内側接触面５５ａ，５８ｂ２を形成し、支持部５６の支持部本体５７と摺動部５８に外側接触面５７ｂ１，５８ａ１を形成することも可能である。
【００４７】
図９に示すように、支持部５６は、支持部本体５７と、支持部本体５７に装着されるクランプ装置５５と、を備える。摺動部５８は、側壁部５８ｂと底部５８ｃが形成される第１部分６１と、側壁部５８ａが形成される第２部分６２と、を備える。
【００４８】
パネル１のクランプ側（図９の手前側）では、クランプ装置５５のクランプ面５５ａに内側接触面５５ａが形成される。摺動部５８の側壁部５８ａに外側接触面５８ａ１が形成される。この外側接触面５８ａ１がパネルホルダ２の内面を摺動する。クランプ装置５５の内側接触面５５ａの傾きを決定する一対のガイド面５５ｂ，５８ａ２は、クランプ装置５５の外面５５ｂと摺動部５８の側壁部５８ａの内面５８ａ２に形成される。摺動部５８を長手方向に変位させることによって、クランプ装置５５の内側接触面５５ａの傾きを調整可能である。
【００４９】
パネル１の奥側（図９の奥側）では、摺動部５８の側壁部５８ｂに内側接触面５８ｂ２が形成される。支持部５６の支持部本体５７の外面に外側接触面５７ｂ１が形成される。この外側接触面５７ｂ１がパネルホルダ２の内面に接触する。摺動部５８の内側接触面５８ｂ２の傾きを決定する一対のガイド面５７ｂ２，５８ｂ１は、支持部５６の支持部本体５７の内面５７ｂ２と摺動部５８の側壁部５８ｂの外面５８ｂ１に形成される。摺動部５８を長手方向に変位させることによって、摺動部５８の側壁部５８ｂの内側接触面５８ｂ２の傾きを調整可能である。
【００５０】
なお、本考案のパネル調整システムは上記実施形態に具現化されるのに限られることはなく、本考案の要旨を変更しない範囲で他の実施形態に具現化可能である。例えば、上記実施形態では、クランプ装置５を支持部６に設けているが、クランプ装置５を摺動部８に設けてもよい。
【００５１】
また、パネル１の傾きを決定する内側接触面８ａ２，８ｂ２，５５ａ，５８ｂ２の傾き調整は、必ずしもパネル１の両側で行う必要はない。パネル１の片側で十分な場合もある。
【００５２】
さらに、内側接触面８ａ２，８ｂ２，５５ａ，５８ｂ２は必ずしもパネル１に直接接触する必要はなく、外側接触面７ａ２，７ｂ２，５７ｂ１，５８ａ１は必ずしもパネルホルダ２に直接接触する必要はない。内側接触面８ａ２，８ｂ２，５５ａ，５８ｂ２とパネル面との間、及び外側接触面７ａ２，７ｂ２，５７ｂ１，５８ａ１とパネルホルダ２との間にゴム又は軟質プラスチック層などの中間挿入物を設けてもよい。
【符号の説明】
【００５３】
１…パネル
２…パネルホルダ
４…ツール
４ａ…係合部
４ｂ…把持部
５…クランプ装置
５ａ…クランプ面
６…支持部
７…支持部本体
７ａ，７ｂ…側壁部
７ａ１，７ｂ１…ガイド面
７ａ２，７ｂ２…外側接触面
７ｃ…底部
８…摺動部
８ａ，８ｂ…側壁部
８ａ１，８ｂ１…ガイド面
８ａ２，８ｂ２…内側接触面
８ｃ…底部
１２…凹部
１３…延長部
１７…差込み口
２１…第１クランプ部
２１ａ…楔面
２２…第２クランプ部
２２ａ…楔面
２３…差込み口
２４…係合軸
２５…係合開口
３１…第１部品
３２…第２部品
３３…弾性爪
３４…ロックキャッチ
４１…第１部品
４２…第２部品
５５…クランプ装置
５５ａ…内側接触面
５５ｂ…ガイド面
５６…支持部
５７…支持部本体
５７ｂ１…外側接触面
５７ｂ２…ガイド面
５８…摺動部
５８ａ，５８ｂ…側壁部
５８ａ１…外側接触面
５８ａ２…ガイド面
５８ｂ２…内側接触面
５８ｃ…底部
６１…第１部分
６２…第２部分
【図１】
0003235459.tif 000003
【図２】
0003235459.tif 000004
【図３】
0003235459.tif 000005
【図４】
0003235459.tif 000006
【図５】
0003235459.tif 000007
【図６】
0003235459.tif 000008
【図７】
0003235459.tif 000009
【図８】
0003235459.tif 000010
【図９】
0003235459.tif 000011